(57)【要約】      （修正有）【課題】施設の出入口に設置することにより来訪者の全身を素速く除菌する全身エアジェット除菌システムを提供する。【解決手段】全身エアジェット除菌システム１は、コンプレッサー３と、１又は複数のステンレスポール２と、それらを接続する接続部４を備え、ステンレスポール２は、通過する人の上部に噴射する上部噴射ノズル２１１１と、下部に噴射する下部噴射ノズル２１１２で構成する除菌液噴射ノズル２１１と、夫々の除菌液の噴射を制御する上部バルブと下部バルブと、人感センサー２１３を備え、ステンレスポール２に人が近づくと、人感センサー２１３が人を感知して、上部バルブと、下部バルブが開かれ、上部噴射ノズル２１１１と下部噴射ノズル２１１２から、除菌液を、人の全身に噴射する。【選択図】図１
0003235409.tif 000002
【実用新案登録請求の範囲】
【請求項１】
コンプレッサー３と、１又は複数のステンレスポール２と、それらを接続する接続部４を備え、
ステンレスポール２は、通過する人の上部に噴射する噴射ノズル２１１１と、下部に噴射する下部噴射ノズル２１１２でなる除菌液噴射ノズル２１１と、夫々の除菌液の噴射を制御する上部バルブ２１４と下部バルブ２１５と、人感センサー２１３を備え、
コンプレッサー３は、除菌液を蓄える除菌液収納部３１と、除菌液を圧縮して、各ステンレスポールに送り出すコンプレッサ本体３２を備え、
接続部４は、上部バルブ、下部バルブの開閉を制御する制御線と除菌液を通す除菌液パイプを含み、
ステンレスポール２に人が近づくと、人感センサー２１３が人を感知して、上部パルブ２１４と、下部バルブ２１５が開かれ、上部噴射ノズル２１１１と下部噴射ノズル２１１２から、除菌液を、人の全身に噴射することを特徴とする全身エアジェット除菌システム。
【請求項２】
前記ステンレスポール２は、略四角状の各頂点に配置し、人が前方の２つのステンレスポールを通過したときに、前方の２つのステンレスポールが除菌液を噴射し、続けて、人が後方の２つステンレスポールを通過したときに、後方のステンレスポールが除菌液を噴射するようにしたことを特徴とする請求項１記載の全身エアジェット除菌システム。
【考案の詳細な説明】
【技術分野】
【０００１】      本考案は、施設などの出入りの際、立ち止まることなく、全身の除菌ができるノンストップ全身除菌システムに関する。
【背景技術】
【０００２】      従来は、各施設などの出入りの際、立ち止まりながらの除菌する設備であった。
【考案の概要】
【考案が解決しようとする課題】
【０００５】      各施設などの出入りの際、立ち止まりながら除菌するのは時間的、労働的負担である。従って、通過する時にセンサー感知でノンストップで全身除菌することにより前述の欠点を解決することを目的とする。
【課題を解決するための手段】
【０００６】コンプレッサー３と、１又は複数のステンレスポール２と、それらを接続する接続部４を備え、
ステンレスポール２は、通過する人の上部に噴射する噴射ノズル２１１１と、下部に噴射する下部噴射ノズル２１１２でなる除菌液噴射ノズル２１１と、夫々の除菌液の噴射を制御する上部バルブ２１４と下部バルブ２１５と、人感センサー２１３を備え、
コンプレッサー３は、除菌液を蓄える除菌液収納部３１と、除菌液を圧縮して、各ステンレスポールに送り出すコンプレッサ本体３２を備え、
接続部４は、上部バルブ、下部バルブの開閉を制御する制御線と除菌液を通す除菌液パイプを含み、
ステンレスポール２に人が近づくと、人感センサー２１３が人を感知して、上部パルブ２１４と、下部バルブ２１５が開かれ、上部噴射ノズル２１１１と下部噴射ノズル２１１２から、除菌液を、人の全身に噴射することを特徴とする全身エアジェット除菌システム。【０００７】前記ステンレスポール２は、略四角状の各頂点に配置し、人が前方の２つのステンレスポールを通過したときに、前方の２つのステンレスポールが除菌液を噴射し、続けて、人が後方の２つステンレスポールを通過したときに、後方のステンレスポールが除菌液を噴射するようにしたことを特徴とする全身エアジェット除菌システム。
【考案の効果】
【０００８】本考案は４本のステンレスポールに上下８本のノズルが設けられており、来訪者の歩行に対して高性能感知センサーで、自動作動し、全身に素速く噴霧が可能な全身除菌システムである。あらゆるウイルスに対応でき発揮します。施設出入口などでの混雑も回避できる。
【図面の簡単な説明】
【０００９】
【図１】本考案の全身エアジェット除菌システムの構成  （ａ）ステンレスポールが２本の場合  （ｂ）ステンレスポールが４本の場合
【図２】本考案の全身エアジェット除菌システムのブロック図
【考案を実施するための形態】
【００１０】図１の（ａ）はステンレスポールが２台の場合、（ｂ）はステンレスポールが４台の場合の全身エアジェット除菌システの構成である。
図２は、本考案の全身エアジェット除菌システムのブロック図である。
【００１１】図１と図２に示すように、全身エアジェット除菌システム１は、コンプレッサー３と、それに１又は複数のステンレスポール２と、それらを接続する接続部４で構成される。
【００１２】ステンレスポール２は、通過する人の上部に噴射する噴射ノズル２１１１と、下部に噴射する噴射ノズル２１１２でなる除菌液噴射ノズル２１１と、除菌液噴射ノズルの開閉を制御する上部バルブ２１４と下部バルブ２１５と、人感センサー２３と、残量液量を検出して、除菌液の残量を表示する除菌液残量表示照明ＬＥＤ２１２、及び、ステンレスポール２を支えるためのスタンド固定用ブロック２２を備える。
【００１３】コンプレッサー３は、除菌液を蓄える除菌液収納部３１と、除菌液を圧縮して、接続部４経由で、各ステンレスポールに送り出すコンプレッサ本体３２と、各ステンレスポールの人感センサーの入力信号を検知し、
上部バルブ、下部バルブの開閉を制御するとともに、除菌液残量表示ＬＥＤに、除菌液の残量を色別に表示を制御する制御部３３でなる。
【００１４】コンプレッサー３とステンレスポール２とは、接続部４で結ばれる。
接続部４は、人感センサーの信号や、除菌液残量表示ＬＥＤの表示データ、バルブの開閉を制御する制御線４１と、除菌液を運ぶための除菌液パイプ４２を含む。
【００１５】図１（ｂ）の４本のステンレスポールの場合で、全身エアジェット除菌システムの動作を説明する。前方の２本のステンレスポール２に人が近づくと、人感センサー２１３が人を感知して、制御部３３に伝える。制御部３３は、ステンレスポール２の上部パルブ２１４と、下部バルブ２１にバルブを指令を発してバルブを開き、それぞれ、上部噴射ノズル２１１１と下部噴射ノズル２１１２から、除菌液を円錐状に広く、人の上下全身に噴射する。
後方の２本のステンレスポール２に人が近づくと同じく、人感センサー２１３が人を感知して、除菌液を全身に噴射する。
このように、全身エアジェット除菌システムでは、立ち止まることなく、ステンレスポールの間を歩いて通過する間に、ノンストップで除菌できる。
来場者が多数、来られる場合、来訪者の混雑を防ぐことができる。
【００１６】  以下、実施例を示す。
４本のステンレスポールからなる全身エアジェット除菌システムでは、設置場所に合わせた配置が可能である。様々なスペースに設置でき、最大２．５ｍ２、最小０．７ｍ２内であれば自由なフォーメーションで設置が可能である。４本のステンレスポールに上下８本のノズル（噴射角−１０５°）が設けられており、エアジェット噴射により効果的に来訪者の全身にまんべんなく噴霧・除菌することができる。
１回の噴射量は約４．０ｍｌでローコスト、消毒容器の充填量（２０Ｌ）に対し、約５０００人に噴霧が可能である。タンク上部には、カウンターが設けられており、来訪者の人数・消毒液の残量が確認でき、除菌液残量表示ＬＥＤで、除菌液残量を、青色点灯・赤色点灯して知らせる。
【符号の説明】
【００１７】１  全身エアジェット除菌システム
２  ステンレスポール
２１  本体
２１１  除菌液噴射ノズル
２１１１  上部噴射ノズル
２１１２  下部噴射ノズル
２１２  除菌液残量表示ＬＥＤ照明
２１３  人感センサー
２１４  上部バルブ
２１５  下部バルブ
２２  スタンド固定用ブロック
３  コンプレッサー
３１  除菌液収納部
３２  コンプレッサー本体
３３  制御部
４  接続部
４１  制御線（人感センサー、表示制御用）
４２  除菌液パイプ
Ａ  除菌液噴射
【図１】
0003235409.tif 000003
【図２】
0003235409.tif 000004